(57)【要約】【課題】ピン端子が挿入された際、バネ部材が十分に弾性変形すると共にピン端子とソケット端子との間の安定的な接触力が得られるソケット端子を提供すること。【解決手段】ソケット端子は、端子本体と、端子本体と別体のバネ部材とを備えている。端子本体は、ピン端子が前後方向に沿って挿入される受容部を有している。バネ部材は、ピン端子と接触する接点部と、前後方向における両端部近傍に夫々形成された２つの被係止部とを有している。バネ部材は、被係止部が端子本体に係止されることで前後方向における移動が規制されるようにして、端子本体の受容部に受容されている。ピン端子が前後方向に沿って挿入されると、接点部がピン端子に押圧されて上方に変位すると共に、被係止部が下方に変位する。被係止部が下方に変位したとき、バネ部材は接点部においてのみピン端子と接触しており、且つ、バネ部材の被係止部は端子本体と接触していない。【選択図】図１３
2014127401.tif 000002
【特許請求の範囲】
【請求項１】
前端を有し且つ前記前端から前後方向に沿ってピン端子を挿入可能なソケット端子であって、端子本体と、前記端子本体と別体のバネ部材とを備えており、
前記端子本体は、前記ピン端子が前記前後方向に沿って挿入される受容部と、前記前後方向と直交する上下方向において前記受容部の上に位置する支持部と、前記前後方向において前記受容部の異なる位置に夫々位置する２つの係止部とを有しており、
前記バネ部材は、前記上下方向に弾性変形可能な板形状に形成されており、前記前後方向における異なる位置に夫々位置する２つの被係止部と、前記前後方向において２つの前記被係止部の間に位置する複数の被支持部と、前記前後方向において前記被支持部の間に位置する少なくとも一つの接点部とを有しており、前記被支持部は、前記上下方向において前記接点部の上方に位置しており、
前記バネ部材は、前記係止部と前記被係止部との係止によって前記前後方向における移動が規制されるようにして前記受容部に受容されており、
前記ピン端子が前記前後方向に沿って挿入された際に、前記接点部が前記ピン端子に押圧されて上方に変位し、前記被支持部が前記支持部に押し付けられつつ前記前後方向に移動し、これにより前記被係止部が下方に変位し、
前記被係止部が下方に変位したとき、前記バネ部材は前記接点部においてのみ前記ピン端子と接触しており、且つ、前記バネ部材の前記被係止部は前記端子本体と接触していない
ソケット端子。
【請求項２】
請求項１記載のソケット端子であって、
前記バネ部材は、前記被支持部を２つのみ有している
ソケット端子。
【請求項３】
請求項２記載のソケット端子であって、
前記バネ部材は、前記前後方向において前記接点部の両側に夫々位置する２つの傾斜部を有しており、
前記傾斜部は、前記接点部から前記支持部に向かって前記前後方向と斜交するようにして延びており、
前記被支持部は、前記傾斜部の前記支持部側の端部に形成されている
ソケット端子。
【請求項４】
請求項１乃至請求項３記載のソケット端子のいずれかであって、
前記端子本体は、位置決め部を有しており、
前記バネ部材は、被位置決め部を有しており、
前記位置決め部は、前記バネ部材を前記前後方向において位置決めするようにして、前記被位置決め部の前記前後方向における後方に位置している
ソケット端子。
【請求項５】
請求項４記載のソケット端子であって、
前記バネ部材は、前記前後方向における一方の端部に２つの脚部を有しており、
前記脚部は、前記前後方向及び前記上下方向の双方と直交する幅方向における前記バネ部材の両側部から下方に夫々延びており、
前記被位置決め部は、前記脚部の後側に形成されており、
２つの前記被係止部のうちの一方である第１被係止部は、前記幅方向において前記脚部の間に形成されている
ソケット端子。
【請求項６】
請求項５記載のソケット端子であって、
前記脚部は、前記前後方向において前記接点部の後方に位置している
ソケット端子。
【請求項７】
請求項１乃至請求項３記載のソケット端子のいずれかであって、
前記端子本体は、前記前後方向及び前記上下方向の双方と直交する幅方向における両側部に夫々形成された２つの位置決め部と、前記幅方向における両側部に夫々形成された２つの開口部とを有しており、
前記バネ部材は、前記前後方向における一方の端部に２つの腕部を有しており、
前記腕部の一部は、前記位置決め部の上に位置しており、
前記ピン端子が前記前後方向に沿って挿入された際、前記腕部は、前記端子本体に押し付けられることなく前記開口部に向かって変位する
ソケット端子。
【請求項８】
請求項７記載のソケット端子であって、
前記腕部の一部は、前記位置決め部の前方に位置しており、これにより前記バネ部材は、前記前後方向において位置決めされている
ソケット端子。
【請求項９】
請求項７又は請求項８記載のソケット端子であって、
２つの前記被係止部のうちの一方である第１被係止部は、前記幅方向において前記腕部の間に形成されている
ソケット端子。
【請求項１０】
請求項５、請求項６又は請求項９記載のソケット端子であって、
２つの前記被係止部のうちの他方である第２被係止部は、前記バネ部材の前記幅方向における両側に夫々形成されている
ソケット端子。
【請求項１１】
請求項１０記載のソケット端子であって、
前記バネ部材は、前記端子本体の前記前端から前記前後方向に沿って前記受容部に挿入されており、
前記端子本体は、前記バネ部材が前記受容部に挿入される際に前記第１被係止部をガイドするガイド部を有している
ソケット端子。
【請求項１２】
請求項１１記載のソケット端子であって、
前記端子本体は、前記前後方向において２つの前記係止部の間に位置する仮係止部を有しており、
前記仮係止部は、前記バネ部材が前記受容部に挿入される際、前記第１被係止部を係止することができる
ソケット端子。
【請求項１３】
請求項１乃至請求項１２記載のソケット端子のいずれかと、前記ソケット端子を保持するハウジングとを備える
コネクタ。
【発明の詳細な説明】
【技術分野】
【０００１】
本発明は、ピン端子が挿入され接続されるソケット端子に関する。
【背景技術】
【０００２】
このタイプのソケット端子は、例えば、特許文献１に開示されている。
【０００３】
特許文献１に開示された雌型接続端子（ソケット端子）は、端子本体と板ばね（バネ部材）とを備えている（図３１（ａ）〜（ｃ）参照）。端子本体は、保持部を有するようにして、金属板を折り曲げて形成されている。板ばねは、弾性を有する金属板を折り曲げて形成されており、これにより保持部と対応するばね保持部と、下方に突出した接点部とを有している。板ばねは、ばね保持部が保持部によって固定され、且つ、ばね保持部を中心として上下にわずかに揺れるようにして端子本体の内部に収容されている。
【先行技術文献】
【特許文献】
【０００４】
【特許文献１】特開平７−７８６４６号公報
【発明の概要】
【発明が解決しようとする課題】
【０００５】
特許文献１のソケット端子にピン端子が前後方向（図３１（ｃ）参照）に沿って後方に向かって挿入されると、バネ部材はピン端子と接触して上方及び後方に押圧される。このためバネ部材は、上方及び後方に弾性変形する。詳しくは、まずバネ部材の接点部を含む後端部分が上方に向かって変位する。次に、バネ部材の後端部分が端子本体と突き当たり、端子本体から摩擦力を受けつつ後方に変位する。このとき、ばね保持部（即ち、バネ部材）は、保持部から前方に向かう反力を受け、この反力がバネ部材の弾性変形（即ち、接点部の変位）に影響を与える。このため、ソケット端子のサイズのばらつきによって、ピン端子とバネ部材（即ち、ソケット端子）との間の接触力がばらつきやすい（即ち、不安定になりやすい）。
【０００６】
そこで、本発明は、ピン端子が挿入された際、バネ部材が十分に弾性変形すると共にピン端子とソケット端子との間の安定的な接触力が得られるソケット端子を提供することを目的とする。
【課題を解決するための手段】
【０００７】
本発明は、第１のソケット端子として、
前端を有し且つ前記前端から前後方向に沿ってピン端子を挿入可能なソケット端子であって、端子本体と、前記端子本体と別体のバネ部材とを備えており、
前記端子本体は、前記ピン端子が前記前後方向に沿って挿入される受容部と、前記前後方向と直交する上下方向において前記受容部の上に位置する支持部と、前記前後方向において前記受容部の異なる位置に夫々位置する２つの係止部とを有しており、
前記バネ部材は、前記上下方向に弾性変形可能な板形状に形成されており、前記前後方向における異なる位置に夫々位置する２つの被係止部と、前記前後方向において２つの前記被係止部の間に位置する複数の被支持部と、前記前後方向において前記被支持部の間に位置する少なくとも一つの接点部とを有しており、前記被支持部は、前記上下方向において前記接点部の上方に位置しており、
前記バネ部材は、前記係止部と前記被係止部との係止によって前記前後方向における移動が規制されるようにして前記受容部に受容されており、
前記ピン端子が前記前後方向に沿って挿入された際に、前記接点部が前記ピン端子に押圧されて上方に変位し、前記被支持部が前記支持部に押し付けられつつ前記前後方向に移動し、これにより前記被係止部が下方に変位し、
前記被係止部が下方に変位したとき、前記バネ部材は前記接点部においてのみ前記ピン端子と接触しており、且つ、前記バネ部材の前記被係止部は前記端子本体と接触していない
ソケット端子を提供する。
【０００８】
また、本発明は、第２のソケット端子として、第１のソケット端子であって、
前記バネ部材は、前記被支持部を２つのみ有している
ソケット端子を提供する。
【０００９】
また、本発明は、第３のソケット端子として、第２のソケット端子であって、
前記バネ部材は、前記前後方向において前記接点部の両側に夫々位置する２つの傾斜部を有しており、
前記傾斜部は、前記接点部から前記支持部に向かって前記前後方向と斜交するようにして延びており、
前記被支持部は、前記傾斜部の前記支持部側の端部に形成されている
ソケット端子を提供する。
【００１０】
また、本発明は、第４のソケット端子として、第１乃至第３のソケット端子のいずれかであって、
前記端子本体は、位置決め部を有しており、
前記バネ部材は、被位置決め部を有しており、
前記位置決め部は、前記バネ部材を前記前後方向において位置決めするようにして、前記被位置決め部の前記前後方向における後方に位置している
ソケット端子を提供する。
【００１１】
また、本発明は、第５のソケット端子として、第４のソケット端子であって、
前記バネ部材は、前記前後方向における一方の端部に２つの脚部を有しており、
前記脚部は、前記前後方向及び前記上下方向の双方と直交する幅方向における前記バネ部材の両側部から下方に夫々延びており、
前記被位置決め部は、前記脚部の後側に形成されており、
２つの前記被係止部のうちの一方である第１被係止部は、前記幅方向において前記脚部の間に形成されている
ソケット端子を提供する。
【００１２】
また、本発明は、第６のソケット端子として、第５のソケット端子であって、
前記脚部は、前記前後方向において前記接点部の後方に位置している
ソケット端子を提供する。
【００１３】
また、本発明は、第７のソケット端子として、第１乃至第３のソケット端子のいずれかであって、
前記端子本体は、前記前後方向及び前記上下方向の双方と直交する幅方向における両側部に夫々形成された２つの位置決め部と、前記幅方向における両側部に夫々形成された２つの開口部とを有しており、
前記バネ部材は、前記前後方向における一方の端部に２つの腕部を有しており、
前記腕部の一部は、前記位置決め部の上に位置しており、
前記ピン端子が前記前後方向に沿って挿入された際、前記腕部は、前記端子本体に押し付けられることなく前記開口部に向かって変位する
ソケット端子を提供する。
【００１４】
また、本発明は、第８のソケット端子として、第７のソケット端子であって、
前記腕部の一部は、前記位置決め部の前方に位置しており、これにより前記バネ部材は、前記前後方向において位置決めされている
ソケット端子を提供する。
【００１５】
また、本発明は、第９のソケット端子として、第７又は第８のソケット端子であって、
２つの前記被係止部のうちの一方である第１被係止部は、前記幅方向において前記腕部の間に形成されている
ソケット端子を提供する。
【００１６】
また、本発明は、第１０のソケット端子として、第５、第６又は第９のソケット端子であって、
２つの前記被係止部のうちの他方である第２被係止部は、前記バネ部材の前記幅方向における両側に夫々形成されている
ソケット端子を提供する。
【００１７】
また、本発明は、第１１のソケット端子として、第１０のソケット端子であって、
前記バネ部材は、前記端子本体の前記前端から前記前後方向に沿って前記受容部に挿入されており、
前記端子本体は、前記バネ部材が前記受容部に挿入される際に前記第１被係止部をガイドするガイド部を有している
ソケット端子を提供する。
【００１８】
また、本発明は、第１２のソケット端子として、第１１のソケット端子であって、
前記端子本体は、前記前後方向において２つの前記係止部の間に位置する仮係止部を有しており、
前記仮係止部は、前記バネ部材が前記受容部に挿入される際、前記第１被係止部を係止することができる
ソケット端子を提供する。
【００１９】
また、本発明は、第１のコネクタとして、
第１乃至第１２のソケット端子のいずれかと、前記ソケット端子を保持するハウジングとを備える
コネクタを提供する。
【発明の効果】
【００２０】
本発明によれば、ピン端子が前後方向に沿ってソケット端子に挿入されると、バネ部材の接点部がピン端子に押圧されて上方に変位すると共に、バネ部材の被係止部が下方に変位する。被係止部が下方に変位したとき、バネ部材は接点部においてのみピン端子と接触しており、且つ、バネ部材の被係止部は端子本体と接触していない。このため、バネ部材が十分に弾性変形すると共にピン端子とバネ部材（即ち、ソケット端子）との間の安定的な接触力が得られる。
【図面の簡単な説明】
【００２１】
【図１】本発明の第１の実施の形態によるソケット端子を示す斜視図である。
【図２】図１のソケット端子を下方から示す斜視図である。
【図３】図１のソケット端子のバネ部材を示す斜視図である。
【図４】図１のソケット端子を示す上面図である。
【図５】図１のソケット端子を示す側面図である。
【図６】図１のソケット端子を示す背面図である。
【図７】図４のソケット端子をＶＩＩ−ＶＩＩ線に沿って示す断面図である。
【図８】図１のソケット端子の位置決め部近傍（破線Ａで囲んだ部分）を部分的に拡大して示す斜視図である。
【図９】図５のソケット端子の第２係止部近傍（破線Ｂで囲んだ部分）を部分的に拡大して示す側面図である。
【図１０】図７のソケット端子の第１係止部近傍（破線Ｃで囲んだ部分）を部分的に拡大して示す断面図である。
【図１１】図１のソケット端子を、ピン端子が挿入され接続された接続状態において示す斜視図である。
【図１２】図１１のソケット端子及びピン端子を示す上面図である。
【図１３】図１２のソケット端子及びピン端子をＸＩＩＩ−ＸＩＩＩ線に沿って示す断面図である。
【図１４】図１２のソケット端子及びピン端子を、ピン端子がソケット端子に未だ接触していない状態で、ＸＩＶ−ＸＩＶ線に沿って示す断面図である。
【図１５】図１２のソケット端子及びピン端子をＸＶ−ＸＶ線に沿って示す断面図である。
【図１６】図１３のソケット端子の第１係止部近傍（破線Ｄで囲んだ部分）を部分的に拡大して示す断面図である。
【図１７】図１５のソケット端子の第２係止部近傍（破線Ｅで囲んだ部分）を部分的に拡大して示す断面図である。
【図１８】本発明の第２の実施の形態によるソケット端子を示す斜視図である。
【図１９】図１８のソケット端子を下方から示す斜視図である。
【図２０】図１８のソケット端子のバネ部材を示す斜視図である。
【図２１】図２０のバネ部材を下方から示す斜視図である。
【図２２】図１８のソケット端子を示す上面図である。ここで、端子本体の開口部の後端部近傍（１点鎖線Ｆで囲んだ部分）を部分的に拡大して更に示し、バネ部材の腕部のうち隠れた部分を破線で示している。
【図２３】図２２のソケット端子をＸＸＩＩＩ−ＸＸＩＩＩ線に沿って示す断面図である。
【図２４】図２２のソケット端子を、ピン端子が挿入され接続された接続状態において示す上面図である。
【図２５】図２４のソケット端子及びピン端子をＸＸＶ−ＸＸＶ線に沿って示す断面図である。
【図２６】図２４のソケット端子及びピン端子をＸＸＶＩ−ＸＸＶＩ線に沿って示す断面図である。ここでソケット端子の開口部の端部近傍（破線Ｇで囲んだ部分）を部分的に拡大して更に示している。
【図２７】本発明の第３の実施の形態によるソケット端子を示す斜視図である。
【図２８】図２７のソケット端子を下方から示す斜視図である。
【図２９】図２７のソケット端子を示す側面図である。
【図３０】図２７のソケット端子を示す正面図である。
【図３１】図３１（ａ）は、従来のソケット端子の一例を示す斜視図である。図３１（ｂ）は、図３１（ａ）のソケット端子のバネ部材を示す斜視図である。図３１（ｃ）は、図３１（ａ）のソケット端子を示す断面図である。
【発明を実施するための形態】
【００２２】
（第１の実施の形態）
図１及び、図１１乃至図１３から理解されるように、本発明の第１の実施の形態によるソケット端子１０は、ピン端子９００と接続可能に構成されている。より具体的には、本実施の形態によるソケット端子１０は、図示しないコネクタ（例えば、絶縁性材料からなるハウジングを備えた雌型コネクタ）に組み込んで使用される。この場合、ソケット端子１０は、雄型コネクタ（図示せず）に保持されたピン端子９００と接続可能となるようにして、雌型コネクタのハウジング（図示せず）に保持される。
【００２３】
図１１乃至図１３から理解されるように、本実施の形態によるピン端子９００は、平板形状の金属板を折り曲げて形成されている。但し、ピン端子９００は、これと異なる形状を有していてもよい。詳しくは、本実施の形態によるピン端子９００は、接触部９１０と、テーパ部９２０と、接続部９３０とを備えている。接触部９１０は、上下方向（Ｚ方向）に薄い平板形状を有しており、上下方向と直交する前後方向（Ｙ方向）に長く延びている。テーパ部９２０は、接触部９１０の＋Ｙ側の端部から、Ｚ方向において先細りつつ＋Ｙ方向に延びている。接続部９３０は、接触部９１０の−Ｙ側の端部から、下方に（即ち、−Ｚ方向に）延びている。接続部９３０は、ピン端子９００が使用される際、外部導体（図示せず）と接続される。
【００２４】
図１及び図１１に示されるように、ソケット端子１０は、Ｙ方向における両端に前端１０Ｆ（即ち、−Ｙ側の端）及び後端１０Ｒ（即ち、＋Ｙ側の端）を夫々有している。ソケット端子１０には、ピン端子９００を前端１０Ｆから挿入方向（＋Ｙ方向）に沿って挿入することができる。ソケット端子１０は、挿入したピン端子９００と電気的に接続することができる。詳しくは、ソケット端子１０は、端子本体１００と、端子本体１００と別体のバネ部材２００とを備えている。バネ部材２００は、挿入されたピン端子９００と接触するようにして、端子本体１００の内部に収容されている（図１３参照）。
【００２５】
図１及び図２から理解されるように、端子本体１００は、金属板（図示せず）を切り抜き、折り曲げることにより形成されている。詳しくは、金属板は、前側部位（即ち、−Ｙ側の部位）と後側部位（即ち、＋Ｙ側の部位）とを有するようにして切り抜かれる。金属板の前側部位は、Ｙ方向と平行な軸を中心にして箱型に折り曲げられており、これにより端子本体１００は、Ｚ方向における上側（即ち、＋Ｚ側）に位置する上板部１１０と、Ｙ方向における両側に夫々位置する２つの側板部１２０と、Ｚ方向における下側（即ち、−Ｚ側）に位置する底板部１３０とを有している。金属板の後側部位は、直角に折り曲げられており、これにより外部導体（図示せず）と接続される接続部１９０が形成されている。
【００２６】
図１、図４及び図７に示されるように、上記のように折り曲げられた金属板の前側部位の両端部は、上板部１１０において、前後方向及び上下方向の双方と直交する幅方向（Ｘ方向）に対向している。また、Ｘ方向に対向する上述の端部は、複数の箇所で切欠かれており、これにより上板部１１０に、第１係止部（係止部、即ち係わり合って止まる部位）１４４、仮係止部１４６及びガイド部１５４が形成されている。
【００２７】
図２及び図７に示されるように、端子本体１００は、受容部１４０を有している。本実施の形態による受容部１４０は、上板部１１０、側板部１２０及び底板部１３０に囲まれた空間である。また、端子本体１００は、Ｙ方向における両端に前端１００Ｆ及び後端１００Ｒを夫々有している。本実施の形態によれば、端子本体１００の前端１００Ｆは、ソケット端子１０の前端１０Ｆであり、端子本体１００の後端１００Ｒは、ソケット端子１０の後端１０Ｒである。受容部１４０は、前方に（即ち、−Ｙ側に）開口しており、ピン端子９００は、端子本体１００の前端１００Ｆから、＋Ｙ方向に沿って受容部１４０に挿入することができる（図１４参照）。
【００２８】
図７に示されるように、受容部１４０の上方（即ち、＋Ｚ側）及び下方（即ち、−Ｚ側）には、支持部（上面）１４２及び底面１５０が夫々形成されている。換言すれば、端子本体１００は、Ｚ方向において受容部１４０の上に位置する支持部１４２と、受容部１４０の下に位置する底面１５０とを有している。本実施の形態による支持部１４２及び底面１５０の夫々は、Ｚ方向と直交する平面である。
【００２９】
図１、図７、及び図１０から理解されるように、本実施の形態による第１係止部１４４及び仮係止部１４６は、受容部１４０から上方に（即ち、＋Ｚ方向に）延びる垂直面である。より具体的には、本実施の形態による第１係止部１４４及び仮係止部１４６は、上板部１１０を貫通する矩形形状の貫通孔の前面（即ち、−Ｙ側の面）である。但し、第１係止部１４４及び仮係止部１４６は、これと異なるように形成されていてもよい。例えば、第１係止部１４４及び仮係止部１４６は、受容部１４０から上方に窪んだ窪みの前面であってもよい。
【００３０】
図１及び図４に示されるように、本実施の形態によるガイド部１５４は、上板部１１０を貫通するようにして形成されている。ガイド部１５４は、端子本体１００の前端１００Ｆに開口している。但し、ガイド部１５４は、これと異なるように形成されていてもよい。例えば、ガイド部１５４は、受容部１４０から上方に窪んだ窪みであってもよい。更に、ガイド部１５４は、端子本体１００の前端１００Ｆから僅かに離れるようにして形成されていてもよい。
【００３１】
図１、図４、図５及び図９に示されるように、端子本体１００のＸ方向における両側部には、２つの第２係止部（係止部）１４８が夫々形成されている。本実施の形態によれば、２つの第２係止部１４８は、Ｙ方向において同じ位置に設けられている。但し、２つの第２係止部１４８のＹ方向における位置は、多少異なっていてもよい。本実施の形態による第２係止部１４８は、第１係止部１４４と同様に、受容部１４０から上方に延びる垂直面である。より具体的には、本実施の形態による第２係止部１４８は、上板部１１０及び側板部１２０を斜めに貫通する貫通孔の後面（即ち、＋Ｙ側の面）である。但し、第２係止部１４８は、例えば、受容部１４０から上方に窪んだ窪みの前面であってもよい。
【００３２】
図１に示されるように、第２係止部１４８は、Ｙ方向において第１係止部１４４と異なる位置に形成されている。より具体的には、本実施の形態による第２係止部１４８は、第１係止部１４４の前方に形成されている。換言すれば、端子本体１００は、Ｙ方向において受容部１４０（図７参照）の異なる位置に夫々位置する２つの係止部１４４，１４８を有している。また、仮係止部１４６は、Ｙ方向において第１係止部１４４及び第２係止部１４８と異なる位置に形成されている。より具体的には、本実施の形態による仮係止部１４６は、Ｙ方向において２つの係止部１４４，１４８の間に位置している。また、仮係止部１４６は、Ｙ方向においてガイド部１５４と第１係止部１４４との間に形成されている。
【００３３】
図１、図４及び図８に示されるように、端子本体１００は、Ｘ方向における両側部に夫々形成された２つの位置決め部１５２を更に有している。詳しくは、側板部１２０の後端は、部分的にＸ方向内側に突出しており、これによりＹ方向と直交する位置決め部１５２が形成されている。
【００３４】
図２及び、図５乃至図７に示されるように、底板部１３０の一部は、受容部１４０の内部に突出するように加工されており、これにより隆起部１５６が形成されている。隆起部１５６は、受容部１４０の内部を上方に向かって隆起している。
【００３５】
図１及び図２に示されるように、端子本体１００には、複数の（本実施の形態によれば、４つの）切欠き部１８０が形成されている。本実施の形態によれば、切欠き部１８０を通して、端子本体１００の外部から受容部１４０の内部を視認することができる。
【００３６】
図３及び図７から理解されるように、バネ部材２００は、端子本体１００と同様に、金属板（図示せず）を切り抜き、折り曲げることにより形成されている。バネ部材２００は、Ｚ方向に弾性変形可能な板形状に形成されている。詳しくは、バネ部材２００は、Ｙ方向における両端部分に夫々位置する第１端部（後端部）２１０及び第２端部（前端部）２７０と、Ｙ方向において第１端部２１０及び第２端部２７０の間に位置する中間部２４０とを有している。中間部２４０は、接点部２４２が下方に突出した略くの字形状（略Ｖ字形状）を有しており、これによりＺ方向に弾性変形可能である。第１端部２１０及び第２端部２７０の夫々は、概ね水平な板形状を有しており、これにより中間部２４０と斜交している。
【００３７】
図３及び図１０に示されるように、第１端部２１０のＸ方向における中間部分は部分的に切欠かれており、これにより突出片（第１被係止片）２２０が形成されている。突出片２２０は、第１端部２１０から前方及び上方に突出するようにして、Ｙ方向と交差する平面上を延びている。突出片２２０の先端には、第１被係止部（被係止部）２２２が形成されている。本実施の形態による第１被係止部２２２は、Ｘ方向と平行に（即ち、Ｙ方向と直交するように）延びている。
【００３８】
本実施の形態による第１端部２１０には、２つの脚部２３０が形成されている。脚部２３０は、第１端部２１０のＸ方向における両側部（即ち、バネ部材２００の両側部）から下方に夫々延びている。本実施の形態によれば、第１被係止部２２２は、Ｘ方向において脚部２３０の間に形成されている。換言すれば、本実施の形態による第１被係止部２２２は、脚部２３０の間に位置する部位を有効に利用して形成されている。
【００３９】
本実施の形態による脚部２３０は、台形形状を有している。詳しくは、脚部２３０（即ち、バネ部材２００）は、Ｚ方向に延びるようにして脚部２３０の後側（即ち、−Ｙ側）に形成された被位置決め部２３２と、被位置決め部２３２の下端（即ち、−Ｚ側の端）から下方及び前方に向かって延びる下端部２３４とを有している。
【００４０】
図３に示されるように、本実施の形態による中間部２４０は、第１傾斜部（傾斜部）２５０及び第２傾斜部（傾斜部）２６０から構成されている。第１傾斜部２５０及び第２傾斜部２６０は、接点部２４２において交差している。換言すれば、バネ部材２００は、Ｙ方向において接点部２４２の両側に夫々位置する２つの傾斜部２５０，２６０を有している。第１傾斜部２５０及び第２傾斜部２６０の夫々は、Ｙ方向において接点部２４２から遠ざかりつつ上方に（即ち、第１端部２１０及び第２端部２７０に夫々向かって）延びている。第１傾斜部２５０及び第２傾斜部２６０の上端部（即ち、第１端部２１０及び第２端部２７０との交差部）には、第１被支持部（被支持部）２５２及び第２被支持部（被支持部）２６２が夫々形成されている。被支持部２５２，２６２は、Ｚ方向において接点部２４２の上方に位置している。
【００４１】
図３及び図９に示されるように、本実施の形態による第２端部２７０には、２つの折り曲げ部（第２被係止片）２８０が形成されている。折り曲げ部２８０は、第２端部２７０のＸ方向における両側部（即ち、バネ部材２００の両側部）から上方に夫々延びている。折り曲げ部２８０の後側には、第２被係止部（被係止部）２８２が形成されている。換言すれば、第２被係止部２８２は、バネ部材２００のＸ方向における両側に夫々形成されている。本実施の形態による第２被係止部２８２は、Ｚ方向と平行に（即ち、Ｙ方向と直交するように）延びている。
【００４２】
以上の説明から理解されるように、本実施の形態によるバネ部材２００は、２つの被係止部２２２，２８２と、２つの被支持部２５２，２６２と、一つの接点部２４２とを有している（図３参照）。被係止部２２２，２８２は、端子本体１００の係止部１４４，１４８と夫々対応するようにして、Ｙ方向における異なる位置に夫々位置している（図３及び図４参照）。被支持部２５２，２６２は、Ｙ方向において２つの被係止部２２２，２８２の間に位置している。接点部２４２は、Ｙ方向において２つの被支持部２５２，２６２の間に位置している。
【００４３】
図１、図４及び図７から理解されるように、上述のように構成されたバネ部材２００は、以下に説明するようにして、端子本体１００の前端１００Ｆから＋Ｙ方向に沿って受容部１４０に挿入され受容されている。
【００４４】
まず、脚部２３０の下端が受容部１４０の底面１５０上を移動するようにして、バネ部材２００を後端１００Ｒに向かって挿入する（図７参照）。このとき、突出片２２０がガイド部１５４にガイドされ、これによりバネ部材２００は、Ｘ方向において位置決めされる。換言すれば、本実施の形態によるガイド部１５４は、バネ部材２００が受容部１４０に挿入される際に突出片２２０の第１被係止部２２２をガイドするように構成されている。
【００４５】
ガイド部１５４にガイドされた突出片２２０は、ガイド部１５４を超えると、支持部１４２に押圧されて下方に弾性変形する。弾性変形した突出片２２０は、支持部１４２をスライドするようにして移動する。突出片２２０は、仮係止部１４６を超えると、初期形状に戻り、上方に突出する。このとき、仮係止部１４６と第１被係止部２２２との係止（即ち、係止部同士が係わり合って止まること）によって、バネ部材２００の−Ｙ方向に沿った移動が防止される。より具体的には、バネ部材２００を受容部１４０から引き抜こうとすると、第１被係止部２２２が仮係止部１４６に突き当たる。即ち、仮係止部１４６は、バネ部材２００が受容部１４０に挿入される際、第１被係止部２２２を係止することができる。
【００４６】
以上の説明から理解されるように、本実施の形態によれば、まず脚部２３０が受容部１４０に挿入され、これによりバネ部材２００は、Ｚ方向において位置決めされる。また、挿入されたバネ部材２００がＸ方向において適切に位置決めされている場合、バネ部材２００を所定の距離だけ挿入したときに、突出片２２０が仮係止部１４６を超えて上方に突出する。換言すれば、突出片２２０が上方に突出しているか否かをチェックすることにより、バネ部材２００がＸ方向において適切に位置決めされているか否かを確認することができる。従って、ソケット端子１０をより効率的に製造することができる。
【００４７】
バネ部材２００を後端１００Ｒに向かって更に挿入すると、突出片２２０は、再び下方に弾性変形して第１係止部１４４を超え、上方に突出する。バネ部材２００を後端１００Ｒに向かって更に移動させようとすると、被位置決め部２３２が位置決め部１５２に突き当たる（図８及び図１０参照）。このため、バネ部材２００は、被位置決め部２３２が位置決め部１５２と接触又は近接した状態（即ち、バネ部材２００が端子本体１００に取り付けられた状態）で停止する。換言すれば、位置決め部１５２は、バネ部材２００をＹ方向において位置決めするようにして、被位置決め部２３２のＹ方向における後方に位置している。
【００４８】
図７及び図１０に示されるように、バネ部材２００が端子本体１００に取り付けられたとき（即ち、本実施の形態によるソケット端子１０においては）、バネ部材２００の脚部２３０は、受容部１４０の底面１５０と接触している。本実施の形態によるバネ部材２００の重心は第１端部２１０側に位置しているため、バネ部材２００の傾斜部２５０，２６０及び第２端部２７０は、上方に持ち上げられている。
【００４９】
詳しくは、接点部２４２は、隆起部１５６との間に僅かな距離をあけて、隆起部１５６の上に位置している。傾斜部２５０，２６０は、接点部２４２から支持部１４２に向かってＹ方向と斜交するようにして夫々延びている。傾斜部２５０，２６０の支持部１４２側の端部に夫々形成された被支持部２５２，２６２は、支持部１４２との間に僅かな距離をあけて、支持部１４２の下に位置している。第１被係止部２２２は、第１係止部１４４との間に僅かな距離をあけて、第１係止部１４４の後方に位置している（図１０参照）。第２被係止部２８２は、第２係止部１４８と殆ど接触するようにして、第２係止部１４８の前方に位置している（図９参照）。
【００５０】
以上に説明したように、バネ部材２００は、−Ｚ側において底面１５０と接触し、＋Ｚ側において支持部１４２に接近するようにして（即ち、Ｚ方向における移動が規制されるようにして）受容部１４０に受容されている。更に、バネ部材２００は、係止部１４４，１４８と被係止部２２２，２８２との係止によってＹ方向における移動が規制されるようにして受容部１４０に受容されている。特に、本実施の形態による係止部１４４，１４８はＹ方向と直交しているため、被係止部２２２，２８２をより確実に夫々係止することができる。但し、係止部１４４，１４８は、被係止部２２２，２８２を係止可能な限り、Ｙ方向と斜交していてもよい。
【００５１】
バネ部材２００は、上述のように受容部１４０に受容されているため、端子本体１００から外れにくい。例えば、端子本体１００の上板部１１０の前端１００Ｆ近傍が下方に押圧された場合、バネ部材２００の第１端部２１０がＺ方向において支持部１４２に押し付けられ、被位置決め部２３２がＹ方向において位置決め部１５２に押し付けられる。このため、バネ部材２００が受容部１４０から抜け出すことが防止される。
【００５２】
上述のように構成されたソケット端子１０は、以下に説明するようにして、ピン端子９００と接続される。
【００５３】
図１３乃至図１５に示されるように、ピン端子９００を受容部１４０に挿入すると、ピン端子９００の接触部９１０は隆起部１５６の上を移動する。ピン端子９００を＋Ｙ方向に沿って挿入し続けると、テーパ部９２０が第２傾斜部２６０と突き当たり、第２傾斜部２６０を上方及び後方に（即ち、＋Ｙ方向に）押圧する（図１４参照）。このため、バネ部材２００は、後方にやや変位しつつ、Ｚ方向及びＹ方向に弾性変形する。詳しくは、ピン端子９００のテーパ部９２０が接点部２４２を通過する際、接点部２４２は、ピン端子９００に押圧されて上方に変位し、第１被支持部２５２及び第２被支持部２６２は、支持部１４２に押し付けられて摩擦力を受けつつ＋Ｙ方向及び−Ｙ方向に夫々移動する。
【００５４】
図１３及び図１６に示されるように、第１被支持部２５２が＋Ｙ方向に移動すると、バネ部材２００の第１端部２１０は、第１傾斜部２５０との交差角度を保ちつつ、第１被支持部２５２を支点として時計回りに倒れるようにして下方に変位する。詳しくは、第１被係止部２２２は、第１係止部１４４から更に離れるようにして後方に変位する（図１０及び図１６参照）。脚部２３０は、倒れつつ底面１５０から持ち上げられ、これにより被位置決め部２３２は、位置決め部１５２との間に距離をあけるように変位する。このとき、突出片２２０の後方には距離ｄ１１のクリアランスが存在し、第１端部２１０の後方には距離ｄ１２のクリアランスが存在する（図１６参照）。このため、第１端部２１０は、第１被支持部２５２を除いて、端子本体１００と接触することなく変位する。
【００５５】
図１５及び図１７に示されるように、第２被支持部２６２が＋Ｙ方向に移動すると、バネ部材２００の第２端部２７０は、第２傾斜部２６０との交差角度を保ちつつ、第２被支持部２６２を支点として反時計回りに倒れるようにして下方に変位する。詳しくは、第２被係止部２８２は、第２係止部１４８から離れるようにして前方に変位する（図９及び図１７参照）。このとき、折り曲げ部２８０の前方には距離ｄ２のクリアランスが存在する（図１７参照）。このため、第２端部２７０は、第２被支持部２６２を除いて、端子本体１００と接触することなく変位する。
【００５６】
以上の説明から理解されるように、ピン端子９００のテーパ部９２０が接点部２４２を通過する際、被係止部２２２，２８２は、端子本体１００と接触することなく、下方に変位する（図１６及び図１７参照）。また、被位置決め部２３２は、位置決め部１５２と一時的に接触した後、位置決め部１５２と接触することなく、下方に変位する（図１６参照）。
【００５７】
図１３から理解されるように、テーパ部９２０が接点部２４２を超えると、接触部９１０は、上述のように弾性変形したバネ部材２００に十分かつ安定的に下方に押圧され、隆起部１５６に押し付けられる。このとき、ソケット端子１０とピン端子９００とは互いに接続した接続状態にある。
【００５８】
図１３、図１６及び図１７に示されるように、被係止部２２２，２８２が下方に変位したとき（即ち、ソケット端子１０が接続状態にあるとき）、バネ部材２００は接点部２４２においてのみピン端子９００と接触しており、且つ、バネ部材２００の被係止部２２２，２８２は端子本体１００と接触していない。特に、本実施の形態によれば、被係止部２２２，２８２が変位し始めてから、被係止部２２２，２８２の変位が終了するまでの間、バネ部材２００は、被位置決め部２３２と位置決め部１５２との一時的な接触を除き、被支持部２５２，２６２においてのみ端子本体１００と接触している。
【００５９】
このため、ソケット端子１０のサイズが公差により多少ばらついていたとしても、バネ部材２００が十分に弾性変形すると共にピン端子９００とバネ部材２００（即ち、ソケット端子１０）との間の安定的な接触力が得られる。即ち、本実施の形態によれば、部品の公差に起因して生じる接触力のばらつきを抑制することができる。また、本実施の形態によれば、端子本体１００に隆起部１５６が設けられているため、ピン端子９００とソケット端子１０との間の接触力を高めることができる。
【００６０】
更に、本実施の形態によれば、端子本体１００にバネ部材２００を固定する部位を設ける必要がない。このため、端子本体１００の構造をより単純にし、ソケット端子１０を小型化することができる。
【００６１】
以上に説明した第１の実施の形態は、以下に説明するように、様々に変形することが可能である。
【００６２】
図３及び図７から理解されるように、第１の実施の形態によれば、バネ部材２００は、脚部２３０を先頭にして受容部１４０に挿入されている。換言すれば、脚部２３０は、Ｙ方向において接点部２４２の後方に位置している。しかしながら、脚部２３０は、Ｙ方向において接点部２４２の前方に位置していてもよい。更に、バネ部材２００は、脚部２３０を有していなくてもよい。この場合、被位置決め部２３２は、バネ部材２００の他の部位に設ければよい。但し、バネ部材２００の受容部１４０における位置決めをより確実に行うためには、第１の実施の形態のように構成することが好ましい。
【００６３】
更に、端子本体１００が成型された後でバネ部材２００を挿入するのでなく、バネ部材２００が受容部１４０に配置された状態で、端子本体１００を成型することも可能である。但し、ソケット端子１０を第１の実施の形態のように構成した場合、端子本体１００の寸法精度をより高めることができると共に、ソケット端子１０をより容易に製造することができる。
【００６４】
図３に示されるように、第１の実施の形態によるバネ部材２００は、被支持部２５２，２６２を２つのみ有している。しかしながら、バネ部材は、Ｙ方向において２つの被係止部の間に位置する複数の被支持部と、Ｙ方向において被支持部の間に位置する少なくとも一つの接点部とを有していればよい。換言すれば、バネ部材は、２つ以上の接点部と、３つ以上の被支持部を有していてもよい。例えば、バネ部材の中間部を、４つの傾斜部から構成される波形状に形成してもよい。この場合、バネ部材は、２つの接点部と、４つの被支持部を有している。但し、バネ部材が２つ以上の接点部を有している場合、ピン端子９００との接触力が不安定になるおそれがある。また、バネ部材が３つ以上の被支持部を有している場合、支持部と安定的に接触できないおそれがある。更に、バネ部材のＹ方向におけるサイズが大きくなる。以上の点を考慮すると、第１の実施の形態のように構成することが好ましい。
【００６５】
（第２の実施の形態）
図１８及び図１９に示されるように、本発明の第２の実施の形態によるソケット端子１０Ａは、第１の実施の形態によるソケット端子１０（図１及び図２参照）と同様な、但し少し異なった構造を有している。ソケット端子１０Ａは、ソケット端子１０と同様に、雄型コネクタ（図示せず）に保持されたピン端子９００（図２４乃至図２６参照）と接続可能となるようにして、雌型コネクタ（図示せず）のハウジング（図示せず）に保持可能である。
【００６６】
ソケット端子１０Ａは、端子本体１００Ａと、端子本体１００Ａと別体のバネ部材２００Ａとを備えている。バネ部材２００Ａは、ソケット端子１０Ａの前端１０Ｆから挿入されたピン端子９００（図２５参照）と接触するようにして、端子本体１００Ａの内部に収容されている。
【００６７】
図２０及び図２１に示されるように、バネ部材２００Ａは、バネ部材２００（図３参照）と、ほぼ同じ構造を有している。詳しくは、バネ部材２００Ａは、脚部２３０（図３参照）を有していない一方、第１端部２１０に２つの腕部２９０を有している。バネ部材２００Ａは、上述の相違を除き、バネ部材２００と同一の部位を有している。
【００６８】
図１８及び図１９に示されるように、端子本体１００Ａは、端子本体１００（図１及び図２参照）に類似した構造を有している。詳しくは、端子本体１００Ａは、端子本体１００の接続部１９０と異なる接続部１９０Ａを有している。また、端子本体１００Ａは、バネ部材２００Ａの腕部２９０に関連したいくつかの部位を有している。端子本体１００Ａは、上述の相違を除き、端子本体１００と、ほぼ同じ構造を有している。
【００６９】
以下、端子本体１００Ａ及びバネ部材２００Ａの部位のうち、端子本体１００及びバネ部材２００と異なる部位を中心に説明する。
【００７０】
図２０及び図２１に示されるように、バネ部材２００Ａの腕部２９０は、第１端部２１０のＸ方向における外側に形成されている。バネ部材２００Ａの第１被係止部２２２は、Ｘ方向において腕部２９０の間に形成されている。このように構成されたバネ部材２００ＡのＸ方向におけるサイズ（即ち、幅）は、バネ部材２００（図３参照）の幅よりも大きい。腕部２９０は、ＸＹ平面上を前方に向かって延びている。腕部２９０は、前端近傍で下方に折り曲げられており、これにより先端部２９２が形成されている。先端部２９２は、Ｙ方向と直交する平面形状を有している。
【００７１】
図１８及び図１９に示されるように、端子本体１００Ａは、接続部１９０Ａと、接続部１９０Ａの前方に位置する前側部位とから構成されている。接続部１９０Ａは、接続部１９０（図１参照）と異なる方法で、外部導体（図示せず）と接続可能である。詳しくは、接続部１９０Ａは、ケーブル（即ち、外部導体）の被覆及び電線（図示せず）をかしめることができる。
【００７２】
端子本体１００Ａは、Ｙ方向における両端に前端１００Ｆ（前端１０Ｆ）及び後端１００Ｒ（後端１０Ｒ）を夫々有している。端子本体１００Ａの前側部位は、上板部１１０Ａと、２つの側板部１２０Ａと、底板部１３０Ａから構成されており、これにより端子本体１００Ａには、端子本体１００（図２参照）と同様にピン端子９００（図２５参照）を受容する受容部１４０が形成されている。図２３に示されるように、受容部１４０の上方及び下方には、支持部１４２及び底面１５０が夫々形成されている。
【００７３】
図１８及び図２２に示されるように、上板部１１０Ａには、上板部１１０（図１参照）と同様に、第１係止部１４４、仮係止部１４６及びガイド部１５４が形成されている。更に、上板部１１０Ａには、２つの第２係止部１４８が形成されている。本実施の形態による２つの第２係止部１４８は、第１の実施の形態と同様に、Ｘ方向において第１係止部１４４の前方に位置し、Ｙ方向において互いに同じ位置にある垂直面である。但し、第２係止部１４８は、第１の実施の形態と異なり、上板部１１０ＡをＺ方向に貫通する貫通孔の後面であり、側板部１２０Ａからガイド部１５４に向かって離れた位置に形成されている。
【００７４】
図１８及び図１９に示されるように、側板部１２０Ａの夫々は部分的に切欠かれており、これにより開口部１６０と曲げ部１７０とが形成されている。開口部１６０及び曲げ部１７０は、Ｙ方向において側板部１２０Ａの中間部分に位置している。開口部１６０は上板部１１０Ａに亘っており、これにより側方及び上方に開口している。曲げ部１７０は、Ｙ方向において開口部１６０の内部に位置している。曲げ部１７０は、側板部１２０Ａから受容部１４０の内部に向かって延びるように折り曲げられており、これにより位置決め部（上面）１７２が形成されている。本実施の形態による位置決め部１７２は、曲げ部１７０のＺ方向と直交する上面である。即ち、端子本体１００Ａは、位置決め部１５２（図１参照）を有さない一方、Ｘ方向における２つの側板部１２０Ａ（即ち、両側部）に夫々形成された２つの位置決め部１７２と、Ｘ方向における両側部に夫々形成された２つの開口部１６０とを有している。
【００７５】
図１９及び図２３に示されるように、底板部１３０Ａは、２箇所において受容部１４０の内部に突出するように加工されており、これにより２つの隆起部１５６が形成されている。隆起部１５６は、受容部１４０の内部を上方に向かって隆起している。
【００７６】
図２３から理解されるように、上述のように構成されたバネ部材２００Ａは、端子本体１００に受容されたバネ部材２００（図７参照）と同様に、端子本体１００Ａの前端１００Ｆから＋Ｙ方向に沿って受容部１４０に挿入され受容されている。
【００７７】
但し、バネ部材２００Ａが受容部１４０に挿入される際、バネ部材２００Ａは、脚部２３０（図７参照）ではなく腕部２９０によって、Ｚ方向において位置合わせされる。詳しくは、バネ部材２００Ａは、腕部２９０の下面が位置決め部１７２の上を通過するようにして、受容部１４０に挿入される。本実施の形態によれば、第１の実施の形態と同様に、バネ部材２００Ａの第１被係止部２２２が＋Ｙ方向に移動して仮係止部１４６を超えたとき、第１被係止部２２２が上方に突出しているか否かをチェックすることにより、バネ部材２００ＡがＸ方向において適切に位置決めされているか否かを確認することができる。
【００７８】
本実施の形態によれば、バネ部材２００Ａの第１被係止部２２２が第１係止部１４４を超えると、腕部２９０の先端部２９２は、曲げ部１７０の直前に位置する。バネ部材２００Ａを後端１００Ｒに向かって更に移動させようとすると、先端部２９２の後面が位置決め部１７２のエッジに突き当たる（図２２及び図２３参照）。このため、バネ部材２００Ａは、先端部２９２が位置決め部１７２と接触又は近接した状態（即ち、バネ部材２００Ａが端子本体１００Ａに取り付けられた状態）で停止する。換言すれば、先端部２９２（即ち、腕部２９０の一部）は、位置決め部１７２の前方に位置しており、これによりバネ部材２００Ａは、Ｙ方向において位置決めされている。
【００７９】
図１８、図２２及び図２３に示されるように、バネ部材２００Ａが端子本体１００Ａに取り付けられたとき（即ち、本実施の形態によるソケット端子１０Ａにおいては）、腕部２９０のうちＹ方向に長く延びている部位（即ち、腕部２９０の一部）は、位置決め部１７２の上に位置している。また、腕部２９０は、Ｙ方向において開口部１６０の後端の前後に延びており（図２２参照）、これにより腕部２９０の一部は、支持部１４２の下に位置している。即ち、腕部２９０は、Ｚ方向において支持部１４２と位置決め部１７２とによって挟まれるように配置されており、これによりバネ部材２００Ａは、Ｚ方向において位置決めされている。詳しくは、バネ部材２００Ａの第１端部２１０及び第２端部２７０は、第１の実施の形態と同様に、支持部１４２に近接又は接触している。
【００８０】
以上に説明したように、バネ部材２００Ａは、第１の実施の形態と同様に、Ｚ方向における移動が規制されるようにして、受容部１４０に受容されている。更に、バネ部材２００Ａは、係止部１４４，１４８と被係止部２２２，２８２との係止によってＹ方向における移動が規制されるようにして受容部１４０に受容されている。バネ部材２００Ａは、上述のように受容部１４０に受容されているため、外力によってＺ方向に変形したとしても、端子本体１００Ａから外れにくい。
【００８１】
図２４乃至図２６から理解されるように、上述のように構成されたソケット端子１０Ａは、ソケット端子１０（図１３及び図１４参照）と同様に、ピン端子９００と接続可能である。
【００８２】
図２５及び図２６から理解されるように、ピン端子９００を受容部１４０に挿入すると、ピン端子９００の接触部９１０は、隆起部１５６の上を移動する。本実施の形態によれば、２つの隆起部１５６が形成されているため、接触部９１０は、より安定的に移動することができる。ピン端子９００を＋Ｙ方向に沿って挿入し続けると、第１の実施の形態と同様に、第１端部２１０は、第１被支持部２５２を除いて、端子本体１００Ａと接触することなく変位する。また、第２端部２７０は、第２被支持部２６２を除いて、端子本体１００Ａと接触することなく変位する。
【００８３】
図２５及び図２６に示されるように、第１端部２１０が変位すると、腕部２９０も変位する。詳しくは、腕部２９０は、開口部１６０を通過して上方に変位する。本実施の形態による腕部２９０及び開口部１６０は、変位した腕部２９０が支持部１４２から離れているか、又は支持部１４２と僅かに接触するように配置されている。換言すれば、ピン端子９００が＋Ｙ方向に沿って挿入された際、腕部２９０は、端子本体１００Ａに押し付けられることなく開口部１６０に向かって変位する。また、変位した腕部２９０は、位置決め部１７２と接触することなく、位置決め部１７２の上方に位置する。従って、腕部２９０は、ピン端子９００とバネ部材２００Ａとの間の接触力に影響を与えない。
【００８４】
受容部１４０に挿入されたピン端子９００のテーパ部９２０が接点部２４２を超えて移動すると、接触部９１０は、上述のように弾性変形したバネ部材２００Ａに十分かつ安定的に下方に押圧され、隆起部１５６に押し付けられる。このとき、ソケット端子１０Ａとピン端子９００とは互いに接続した接続状態にある。
【００８５】
本実施の形態によれば、第１端部２１０及び第２端部２７０（即ち、被係止部２２２，２８２）が変位し始めてから、被係止部２２２，２８２の変位が終了するまでの間、バネ部材２００Ａは、変位前の腕部２９０と位置決め部１７２との接触及び変位後の腕部２９０と支持部１４２との僅かな接触を除き、被支持部２５２，２６２においてのみ端子本体１００Ａと接触している。
【００８６】
このため、ソケット端子１０Ａのサイズが公差により多少ばらついていたとしても、バネ部材２００Ａが十分に弾性変形すると共にピン端子９００とバネ部材２００Ａ（即ち、ソケット端子１０Ａ）との間の安定的な接触力が得られる。また、本実施の形態によれば、端子本体１００Ａに２つの隆起部１５６が設けられているため、ピン端子９００とソケット端子１０Ａとの間の接触力を更に高めることができる。
【００８７】
但し、前述したように、本実施の形態によるバネ部材２００Ａは、腕部２９０を有しているため、バネ部材２００Ａの幅は比較的大きい（図２０参照）。従って、バネ部材２００Ａを受容する端子本体１００Ａの幅も比較的大きい。逆に言えば、端子本体１００Ａの幅が大きいことから、バネ部材２００Ａに、脚部２３０（図３参照）に代えて腕部２９０を形成することができる。また、端子本体１００Ａに、位置決め部１５２（図１参照）に代えて位置決め部１７２を形成するとともに、２つの隆起部１５６を形成することができる。
【００８８】
バネ部材２００Ａは、ケーブル圧着タイプの端子本体１００Ａに代えて、第１の実施の形態の端子本体１００のようなネジ固定タイプの端子本体に挿入することもできる。
【００８９】
（第３の実施の形態）
図２７乃至図３０から理解されるように、本発明の第３の実施の形態によるソケット端子１０Ｂは、第２の実施の形態によるソケット端子１０Ａ（図１８及び図１９参照）と同様な、但し少し異なった構造を有している。ソケット端子１０Ｂは、ソケット端子１０Ａと同様に、雄型コネクタ（図示せず）に保持されたピン端子９００（図２４乃至図２６参照）と接続可能となるようにして、雌型コネクタ（図示せず）のハウジング（図示せず）に保持可能である。
【００９０】
図２７乃至図３０に示されるように、ソケット端子１０Ｂは、端子本体１００Ｂと、端子本体１００Ｂと別体のバネ部材２００Ａとを備えている。端子本体１００Ｂは、端子本体１００Ａ（図１８及び図１９参照）の上板部１１０Ａ，底板部１３０Ａ及び接続部１９０Ａと夫々異なる上板部１１０Ｂ，底板部１３０Ｂ及び接続部１９０を有している。端子本体１００Ｂの部位のうち、上板部１１０Ｂ，底板部１３０Ｂ及び接続部１９０以外の部位は、端子本体１００Ａと同じである。また、端子本体１００Ｂの接続部１９０は、端子本体１００（図１参照）の接続部１９０と同一の形状を有している。以下、上板部１１０Ｂ及び底板部１３０Ｂと上板部１１０Ａ及び底板部１３０Ａとの相違点を説明する。
【００９１】
図２７乃至図２９に示されるように、上板部１１０Ｂは、上板部１１０Ａ（図１８参照）とほぼ同じ形状を有している。但し、上板部１１０Ｂの後端部は下方に曲げられていない。本実施の形態によるバネ部材２００Ａは位置決め部１７２によってＹ方向における移動が規制されているため、上板部１１０Ｂの後端部が曲がっていない場合でも、バネ部材２００Ａの脱落を防止することができる（図２９参照）。
【００９２】
図２８乃至図３０に示されるように、底板部１３０Ｂは、底板部１３０Ａ（図１９参照）とほぼ同じ形状を有している。但し、底板部１３０Ｂには、１つのみの隆起部１５６が形成されている。１つの隆起部１５６によっても、ピン端子９００とソケット端子１０Ｂとの間の必要な接触力を得ることができる。
【００９３】
以上に説明した第２及び第３の実施の形態は、第１の実施の形態と同様に、様々に変形することが可能である。
【００９４】
特に、図２１に示されるように、第２及び第３の実施の形態による腕部２９０は、Ｙ方向において接点部２４２の後方に位置している。しかしながら、腕部２９０は、Ｙ方向において接点部２４２の前方に位置していてもよい。例えば、腕部２９０は、第２被係止部２８２の近傍から後方に延びていてもよい。換言すれば、バネ部材２００Ａは、Ｙ方向における一方の端部に２つの腕部２９０を有していればよい。更に、腕部２９０は、バネ部材２００Ａを位置決めすることができ、且つ、ピン端子９００とバネ部材２００Ａとの間の接触圧に影響を与えない限り、どのように配置されていてもよいし、どのような形状を有していてもよい。
【符号の説明】
【００９５】
１０，１０Ａ，１０Ｂ        ソケット端子
１０Ｆ                      前端
１０Ｒ                      後端
１００，１００Ａ，１００Ｂ  端子本体
１００Ｆ                    前端
１００Ｒ                    後端
１１０，１１０Ａ，１１０Ｂ  上板部
１２０，１２０Ａ            側板部
１３０，１３０Ａ，１３０Ｂ  底板部
１４０                      受容部
１４２                      支持部（上面）
１４４                      第１係止部（係止部）
１４６                      仮係止部
１４８                      第２係止部（係止部）
１５０                      底面
１５２                      位置決め部
１５４                      ガイド部
１５６                      隆起部
１６０                      開口部
１７０                      曲げ部
１７２                      位置決め部（上面）
１８０                      切欠き部
１９０，１９０Ａ            接続部
２００，２００Ａ            バネ部材
２１０                      第１端部（後端部）
２２０                      突出片（第１被係止片）
２２２                      第１被係止部（被係止部）
２３０                      脚部
２３２                      被位置決め部
２３４                      下端部
２４０                      中間部
２４２                      接点部
２５０                      第１傾斜部（傾斜部）
２５２                      第１被支持部（被支持部）
２６０                      第２傾斜部（傾斜部）
２６２                      第２被支持部（被支持部）
２７０                      第２端部（前端部）
２８０                      折り曲げ部（第２被係止片）
２８２                      第２被係止部（被係止部）
２９０                      腕部
２９２                      先端部
９００                      ピン端子
９１０                      接触部
９２０                      テーパ部
９３０                      接続部
【図１】
2014127401.tif 000003
【図２】
2014127401.tif 000004
【図３】
2014127401.tif 000005
【図４】
2014127401.tif 000006
【図５】
2014127401.tif 000007
【図６】
2014127401.tif 000008
【図７】
2014127401.tif 000009
【図８】
2014127401.tif 000010
【図９】
2014127401.tif 000011
【図１０】
2014127401.tif 000012
【図１１】
2014127401.tif 000013
【図１２】
2014127401.tif 000014
【図１３】
2014127401.tif 000015
【図１４】
2014127401.tif 000016
【図１５】
2014127401.tif 000017
【図１６】
2014127401.tif 000018
【図１７】
2014127401.tif 000019
【図１８】
2014127401.tif 000020
【図１９】
2014127401.tif 000021
【図２０】
2014127401.tif 000022
【図２１】
2014127401.tif 000023
【図２２】
2014127401.tif 000024
【図２３】
2014127401.tif 000025
【図２４】
2014127401.tif 000026
【図２５】
2014127401.tif 000027
【図２６】
2014127401.tif 000028
【図２７】
2014127401.tif 000029
【図２８】
2014127401.tif 000030
【図２９】
2014127401.tif 000031
【図３０】
2014127401.tif 000032
【図３１】
2014127401.tif 000033